(57)【特許請求の範囲】
【請求項１】
駆動モータを内蔵する電動工具本体と、該電動工具本体に対して軸支連結されるグリップ部とを有し、
前記電動工具本体と前記グリップ部との互いを交差方向に延びるように配置させるピストル形状態の設定形態を有しており、
前記ピストル形状態の設定形態の前記グリップ部を手握りした場合の握り手にてピストルの引き金を引くように操作可能に構成される操作トリガが設けられており、
前記電動工具本体に対して該出力軸配設位置とは反対側に位置する部位には、該出力軸に向かって凹状をなして該出力軸が存する向きに握り手の押し当て力を加えることができるグリップ用凹部が設けられている、ことを特徴とする電動工具。
【請求項２】
請求項１に記載の電動工具において、
前記グリップ用凹部は、前記ピストル形状態の設定形態の前記グリップ部における、前記駆動モータの回転駆動軸の回転軸線上に存している、ことを特徴とする電動工具。
【請求項３】
請求項１または請求項２に記載の電動工具において、
前記電動モータの回転駆動状態を切り替えるスイッチ本体と、該スイッチ本体に対して入力操作を行う操作トリガとを有して、前記グリップ用凹部に近接配置される駆動スイッチを備え、
前記駆動スイッチには、前記駆動モータにより回転させる回転駆動軸の回転方向を、順回転方向と逆回転方向との何れかを選択するように切り替える回転方向切替スイッチが設けられている、ことを特徴とする電動工具。
【請求項４】
請求項１から請求項３の何れかに記載の電動工具において、
前記回転駆動軸の回転駆動を減速させる減速機構と、前記回転駆動軸の回転駆動により出力軸に回転打撃効果を与える打撃発生機構とを備える、ことを特徴とする電動工具。
【請求項５】
請求項１から請求項４の何れかに記載の電動工具において、
前記電動工具本体と前記グリップ部との連結設定形態としては、互いを交差方向に延びるように配置する前記ピストル形状態の設定形態と、互いを直列方向に延びるように配置するストレート形状態の設定形態との、少なくとも二つの設定形態を有している、ことを特徴とする電動工具。
【請求項６】
請求項１から請求項５の何れかに記載の電動工具において、
前記操作トリガは、前記電動工具本体に対して設けられている、ことを特徴とする電動工具。
【請求項７】
請求項１から請求項６の何れかに記載の電動工具において、
前記電動工具本体は、前記駆動モータを内蔵するハウジングを備え、
前記ハウジングには、前記操作トリガの引き操作方向に沿って延びて該操作トリガの外周を覆うトリガ保護リブが設けられている、ことを特徴とする電動工具。
【発明の詳細な説明】
【技術分野】
【０００１】
本発明は、ドライバビットやソケットビット等の出力軸を回転させる回転駆動軸を備えた電動工具に関し、詳しくは、片手でグリップ部を握った状態で作業できるピストル形の電動工具に関する。
【背景技術】
【０００２】
従来、駆動モータを内蔵する電動工具が知られている。この電動工具は、内蔵される駆動モータの回転駆動軸により、ドライバビットやソケットビット等の出力軸を回転させる。この種の電動工具にあっては、一般的に、片手でグリップ部を握った状態で作業できるピストル形となるように構成される。すなわち、この種の電動工具にあっては、下記特許文献１にて開示される電動工具のように、回転駆動軸を具備する駆動モータを内蔵する電動工具本体と、この電動工具本体に対して交差方向に延びるように（略Ｌ字型を成すように）配置可能なグリップ部とを備えるものが知られている。このように構成する電動工具によれば、使用時にグリップ部をピストルのグリップと同様に把持することができ、出力軸の回転を操作することができる。
【先行技術文献】
【特許文献】
【０００３】
【特許文献１】特開平１−２３４１７６
【発明の概要】
【発明が解決しようとする課題】
【０００４】
ところで、上記特許文献１にて開示される電動工具にあっては、出力軸の回転を操作するにあたっての操作トリガを、操作者の握り手にて把持されるグリップ部に設けられたものとなっている。このため、このグリップ部を片手で握った状態で操作トリガを操作しようとすると、この操作トリガの配設位置が手握りの握り位置に近いために、手握り状態での操作がし難いという声があった。
【０００５】
本発明は、このような事情に鑑みなされたものであって、本発明が解決しようとする課題は、ドライバビットやソケットビット等の出力軸を回転させる回転駆動軸を有した電動工具において、操作トリガの配設位置をグリップ部の手握りの握り位置に対して操作のし易い位置に設定し、工具としての操作性を向上させることにある。
【課題を解決するための手段】
【０００６】
上記した課題を解決するにあたって、本発明に係る電動工具は、次の手段を採用する。
すなわち、本発明の第１の発明に係る電動工具は、駆動モータや該駆動モータによりドライバビットやソケットビット等の出力軸を回転させる回転駆動軸を含む各種構成部品を内蔵する電動工具本体と、使用時に操作者が把持するグリップ部とを備える電動工具であって、前記電動工具本体と前記グリップ部とは、互いに交差方向に延びるように配設されてピストル形状となっており、前記グリップ部が延びる側の前記電動工具本体には、該グリップ部が存する側に向けて引き操作をすることにより前記駆動モータの駆動を操作する操作トリガが設けられていることを特徴とする。
【０００７】
この第１の発明に係る電動工具によれば、グリップ部が延びる側の電動工具本体には、グリップ部が存する側に向けて引き操作をすることにより駆動モータの駆動を操作する操作トリガが設けられているので、グリップ部が存する側に向けて引き操作をするにあたって、操作トリガの配設位置は、グリップ部を手握りした場合の握り位置から引き操作に有利に離れる電動工具本体に対して設定されることとなる。これによって、グリップ部をピストルのグリップと同様に把持して、この把持する握り手にて操作トリガを操作するにあたって、操作トリガの操作はし易くなり、工具としての操作性を向上させる。
【０００８】
第２の発明に係る電動工具は、前記第１の発明に係る電動工具において、前記電動工具本体と前記グリップ部とは、長手方向に対して相対的に折り曲げ可能に軸支連結されており、前記電動工具本体と前記グリップ部との連結設定形態としては、互いを交差方向に延びるように配置するピストル形状態の設定形態と、互いを直列方向に延びるように配置するストレート形状態の設定形態との、少なくとも二つの設定形態を有していることを特徴とする。
この第２の発明に係る電動工具によれば、電動工具本体とグリップ部との連結設定形態としては、少なくとも二つの設定形態を有しているので、使用状態に応じて電動工具の設定形態を変更することができる。具体的には、電動工具を使用する場合には、互いを交差方向に延びるように配置するピストル形状態の設定形態とし、電動工具を工具箱に収納する場合には、互いを直列方向に延びるように配置するストレート形状態の設定形態として、対応することができる。つまり、収納に有利な設定形態を選択することができるので、不使用時における収納性を高める。
【０００９】
第３の発明に係る電動工具は、前記第１または前記第２の発明に係る電動工具において、前記電動工具本体は、前記回転駆動軸を含む各種構成部品を内蔵するハウジングを備え、前記ハウジングには、前記操作トリガの引き操作方向に沿って延びて該操作トリガの外周を覆うトリガ保護リブが設けられていることを特徴とする。
この第３の発明に係る電動工具によれば、ハウジングには操作トリガの外周を覆うトリガ保護リブが設けられているので、例えば電動工具を落としてしまって、地面等の外部衝突物が操作トリガ周辺に接触衝突してしまうような場合であっても、操作トリガは、トリガ保護リブによって接触衝突から保護される。これによって、外部衝突物の接触衝突による操作トリガの破損を防止することができる。
特に、このトリガ保護リブは、操作トリガの外周を覆うにあたって、操作トリガの引き操作方向に沿って延びるように構成されているので、上記した操作トリガに外部衝突物が当たってしまうような場合の中でも、この操作トリガの引き操作方向への当たりを特に防止することができる。これによって、外部衝突物の接触衝突等によって、操作者が意図していないところで操作トリガが勝手に引き操作がされてしまうことを防止することができる。
【００１０】
第４の発明に係る電動工具は、前記第１から前記第３の発明の何れかに係る電動工具において、前記ピストル形状態の設定形態としている場合の前記グリップ部のうち、前記出力軸の回転軸線上に存し且つ前記電動工具本体に対して該出力軸配設位置とは反対側に位置する部位には、該出力軸に向かって凹状をなすグリップ用凹部が設けられていることを特徴とする。
この第４の発明に係る電動工具によれば、ピストル形状態の設定形態としている場合のグリップ部にあっては、電動工具本体に対して出力軸配設位置とは反対側に位置する部位にグリップ用凹部が設けられており、グリップ用凹部は出力軸の回転軸線上に存しつつ出力軸に向かって凹状をなしているので、グリップ部を把持する操作者の握り手をグリップ用凹部に嵌めるように当てるだけで、グリップ用凹部から出力軸の先端方向に効率良く荷重をかけることができる。これによって、出力軸の先端の作業個所への押し当てに有利となる。
【発明の効果】
【００１１】
第１の発明に係る電動工具によれば、この把持する握り手にて操作トリガを操作するにあたって、操作トリガの操作はし易くなり、工具としての操作性を向上させる。
第２の発明に係る電動工具によれば、収納に有利な設定形態を選択することができるので、不使用時における収納性を高める。
第３の発明に係る電動工具によれば、外部衝突物の接触衝突による操作トリガの破損を防止することができつつ、操作者が意図していないところで操作トリガが勝手に引き操作がされてしまうことを防止することができる。
第４の発明に係る電動工具によれば、出力軸の先端方向に効率良く荷重をかけることができ、出力軸の先端の作業個所への押し当てに有利となる。
【図面の簡単な説明】
【００１２】
【図１】電動工具を側面視した場合の外観を示す側面視外観図である。
【図２】図１の電動工具の一部内部構造を示す側面視一部切欠き断面図である。
【発明を実施するための形態】
【００１３】
以下、本発明の電動工具を実施するための最良の形態について、図面を参照しながら説明する。
図１は、電動工具１０を側面視した場合の外観を示す側面視外観図である。図２は、図１の電動工具１０の一部内部構造を示す側面視一部切欠き断面図である。
この電動工具１０は、図１に示すように、取替え可能に取り付けられたドライバビットやソケットビット等の出力軸１００（図示想像線）を回転させるものである。なお、このような出力軸１００は、電動工具１０の先端に設けられたチャック装置３７にて電動工具１０に取り付けられる。
なお、以下の説明においては、電動工具１０のほか電動工具１０を構成する各種構成部品について、出力軸１００が取り付けられている個所に近い側を先端側と規定して説明し、この先端側とは反対側となる出力軸１００が取り付けられている個所に遠い側を基端側と規定して説明している。特に電動工具１０を構成する電動工具本体２０においては、符号２０ａが電動工具本体２０の先端を示しており、符号２０ｂが電動工具本体２０の基端を示している。
電動工具１０は、図２に示すように、概略、上記出力軸１００を回転させる回転駆動軸３３（駆動モータ３０）を含む各種構成部品を内蔵する電動工具本体２０と、この電動工具１０を使用する際に操作者が把持するグリップ部５０とを備える。
これら電動工具本体２０とグリップ部５０とは、互いに軸支連結されるように構成される。このため、後に説明するが、これら電動工具本体２０とグリップ部５０とは、この軸支連結される個所を軸支点として、電動工具１０の長手方向に対して相対的に折り曲げ可能に構成されている。具体的には、電動工具本体２０とグリップ部５０との連結設定形態としては、電動工具本体２０とグリップ部５０との互いを交差方向に延びるように配置するピストル形状態の設定形態（図１に示す符号Ｐ１の設定形態）と、電動工具本体２０とグリップ部５０との互いを直列方向に延びるように配置するストレート形状態の設定形態（図１に示す符号Ｐ２の設定形態）との、二つの設定形態を有している。この電動工具１０は、これら二つの設定形態を、使用時あるいは収納時に応じて、変化させることができるようになっている。一般的には、使用する際はピストル形状態の設定形態で使用し、収納する際はストレート形状態の設定形態で収納する。なお、以下の説明において図示される電動工具１０は、全てピストル形状態の設定形態のものを示している。
【００１４】
まず、グリップ部５０について説明する。
グリップ部５０は、電動工具１０を使用する際に操作者の手握りにより把持される部分であり、上記したように電動工具本体２０に対して連結設定形態を変化させることができるように構成される。グリップ部５０は、図２に示すように、概略、グリップハウジング５１と、バッテリ具５２と、電気接続装置５３とを備える。
グリップハウジング５１は、後に説明するバッテリ具５２と電気接続装置５３とを内蔵することができるように基端５０ｂ側（図２で示す下端側）が開口した中空構造にて形成される。このグリップハウジング５１は、図１および図２にて片側ずつ示すように、中空半割れ構造にて形成される２つのグリップハウジング片５１ａ，５１ｂを合体させることにより形成される。図２に示すように、基端５０ｂ側の開口した中空個所は、バッテリ具５２が取り付けられるバッテリ具収容部５１ｃとして形成される。また、先端５０ａ側の中空個所は、電気接続装置５３が収容される接続装置収容部５１ｄとして形成される。バッテリ具５２は、バッテリ具収容部５１ｃ内に挿入される電池パック５２ａと、この電池パック５２ａを支持しバッテリ具収容部５１ｃの開口を閉塞する閉塞蓋部５２ｂとを備える。これら電池パック５２ａと閉塞蓋部５２ｂとは互いに一体化されて形成されている。このため、電池パック５２ａをバッテリ具収容部５１ｃ内に収容すると、これと同時に閉塞蓋部５２ｂがバッテリ具収容部５１ｃの開口を閉塞し、バッテリ具５２はバッテリ具収容部５１ｃに装着されたものとなる。電気接続装置５３は、バッテリ具収容部５１ｃに装着されたバッテリ具５２からの電力を、電動工具本体２０（特に駆動モータ３０）に対して供給するために、これら間に介装される装置である。この電気接続装置５３は、このバッテリ具収容部５１ｃに隣接する接続装置収容部５１ｄに収容される。
ところで、このグリップハウジング５１の外部形状としては、操作者が手で握り易いように、輪切り断面視が略楕円形状となっている。このグリップハウジング５１の先端５０ａ側（図２で示す上端側）は、詳細について図示していないが、電動工具本体２０に固定配設される支持軸２５を受ける軸受け構造が設けられている。この軸受け構造により、グリップ部５０は、先端５０ａ側が電動工具本体２０に固定配設される支持軸２５に回動可能に軸支連結され、例えばストレート形状態の設定形態からピストル形状態の設定形態に連結設定形態を変化させることができる。
【００１５】
このグリップ部５０は、操作者に手握りされて作業が行われるに際して、出力軸１００が作業個所に対して効率良く押し当てられるように、回転駆動軸３３が延びる軸線上にグリップ部５０を把持する握り手が存するように外部形状が形成されている。なお、回転駆動軸３３は、後にも説明するが、出力軸１００の回転軸線Ｘと同軸上で延びるように配設される。
具体的には、図１および図２に示すように、ピストル形状態の設定形態となっている場合のグリップ部５０のうち、出力軸１００の回転軸線Ｘ上に存し、且つ電動工具本体２０に対して出力軸１００の配設位置とは反対側に位置する部位にはグリップ用凹部５４が設けられている。具体的には、グリップ部５０のグリップハウジング５１の先端５０ａ側（図２で示す上端側）のうち、回転駆動軸３３が延びる軸線上に当たる電動工具本体２０の基端２０ｂの隣接部分には、グリップ用凹部５４が形成されている。このため、電動工具本体２０の基端２０ｂは、グリップ用凹部５４に対して近接配置されるようになっている。
このグリップ用凹部５４は、出力軸１００に向かって凹状をなすようにして形成される。このグリップ用凹部５４は、操作者がグリップ部５０を把持した場合に、操作者の親指付け根と人差し指付け根との間の部分が嵌り込むことを想定して形成される。このため、このグリップ用凹部５４に親指付け根と人差し指付け根との間の部分を嵌め込めて出力軸１００が存する向きに力を加えると、出力軸１００に対してブレ無く握り手の押し当て力を加えることができる。なお、図２に示すように、電動工具本体２０に固定配設される支持軸２５は、グリップ部５０のグリップ用凹部５４とともに回転駆動軸３３が延びる回転軸線Ｘ上に配置されており、グリップ部５０の握り手からの力を出力軸１００の存する方向への押し当て力に変換され易いようになっている。このように電動工具１０は、出力軸１００に対して効率が良く押し当て力を加えることができるようになっており、作業性に優れたものとなっている。
また、このグリップ部５０には、グリップ部５０が安定してピストル形状態の設定形態となるように、後に説明する電動工具本体２０の連結部２４（膨らみ部２４ａ）に対して嵌り合うための構造（凹み部５９）が設けられている。
【００１６】
次に、電動工具本体２０について説明する。
電動工具本体２０は、概略、中空長筒状に形成されたハウジング２１と、このハウジング２１内に装置される各種構成部品とを備える。ハウジング２１は、図２に示すように、中空半割れ構造にて形成される２つのハウジング片２１ａ，２１ｂを合体させることにより形成され、電動工具本体２０の外装をなす。ここで、このハウジング２１内に装置される各種構成部品としては、駆動モータ３０、回転駆動機構（不図示）、駆動スイッチ４０が含まれる。具体的には、ハウジング２１の略中間部に駆動モータ３０が装置されており、この駆動モータ３０の先端側範囲にはハウジング２１にて隠れる回転駆動機構が装置されており、この駆動モータ３０の基端側範囲には駆動スイッチ４０が装置されている。つまり、電動工具本体２０の基端２０ｂ側とも一致するハウジング２１の基端側には、駆動スイッチ４０が内蔵されている。つまり、電動工具本体２０の基端２０ｂ側は、上記したように、ピストル形状態の設定形態としている場合のグリップ用凹部５４に対して近接配置されている。このため、ハウジング２１の基端側に内蔵される駆動スイッチ４０も、グリップ用凹部５４に対して近接配置されることとなる。なお、駆動スイッチ４０が内蔵される周辺部分のハウジング２１には、ピストル形状態の設定形態としている場合のグリップ部５０が延びる側（図１および図２に示す下側。以下、単に「図示下側」と称する場合がある。）の部分に、駆動スイッチ４０に具備される操作トリガ４４を外部に突出させる操作トリガ用開口部２１ｃが形成されている。この操作トリガ用開口部２１ｃは、後に説明する操作トリガ４４の引き操作範囲に応じた範囲に亘って、開口した形状を有して形成される。具体的には、操作トリガ用開口部２１ｃは、上記したハウジング２１の図示下側部分に設けられるにあたって、操作トリガ４４の引き操作の引き幅を考慮して開口幅が設定されるとともに、この操作トリガ４４に操作指が掛けられて操作する場合に操作指に対して差障りが無いように適宜切り欠かれて形成される。具体的には、操作トリガ用開口部２１ｃは、ハウジング２１の図示下側部分のうち、駆動スイッチ４０が内蔵される個所略全体を開口させるとともに、操作トリガ４４が配設される周囲を切り欠いている。このように形成された操作トリガ用開口部２１ｃは、操作トリガ４４に操作指を掛けて引き操作するにあたって、この引き操作をスムーズに行えるようにする。
また、操作トリガ用開口部２１ｃの図示下側には、操作トリガ４４の引き操作方向に沿って延びて操作トリガ４４の外周を覆うトリガ保護リブ２６が、ハウジング２１と一体化状態で設けられている。なお、このトリガ保護リブ２６は、操作トリガ４４に対応して設けられるものであるため、操作トリガ４４の説明後に説明する。
このハウジング２１の基端２０ｂには、電動工具本体２０に対して上記したグリップ部５０を回動可動に軸支連結するための連結部２４が設けられている。この連結部２４には、グリップ部５０の回動方向と交差する方向に延在する支持軸２５が固定配設されている。また、この連結部２４には、グリップ部５０が安定してピストル形状態の設定形態となるように、グリップ部５０（凹み部５９）に対する嵌め合い構造（膨らみ部２４ａ）が設けられている。
【００１７】
駆動モータ３０は、回転駆動力を発生する駆動モータ本体３１と、この駆動モータ本体３１にて発生した回転駆動力にて回転駆動する回転駆動軸３３とを備える。駆動モータ本体３１は、適宜の電動モータである。回転駆動軸３３は、ハウジング２１の長筒中心軸線上に沿って駆動モータ本体３１に設けられている、この回転駆動軸３３は、上記した出力軸１００を回転させるために、次に説明する回転駆動機構（不図示）に回転駆動力を伝達するように連結されている。このため、回転駆動軸３３は、電動工具本体２０先端側に向かう方向に駆動モータ本体３１から突出している。
ハウジング２１にて隠れる回転駆動機構は、回転駆動軸３３の回転駆動を減速させる減速機構と、回転駆動軸３３の回転駆動により出力軸１００に回転打撃効果を与える打撃発生機構とを備える。なお、この回転駆動機構の先端側には、上記した出力軸１００を取り付けるために、出力軸１００を締結するチャック装置３７が設けられている。このように回転駆動機構は、回転駆動軸３３から回転駆動を受け、チャック装置３７にて取り付けられた出力軸１００を、回転打撃効果を与えながら回転させることができる。
駆動スイッチ４０は、上記した駆動モータ３０の回転駆動状態を切り替えるものである。駆動スイッチ４０は、駆動モータ３０の回転駆動状態を切り替えるスイッチ本体４１と、このスイッチ本体４１に対して入力操作を行う操作トリガ４４とを備える。なお、この駆動スイッチ４０の基端側には、上記した電気接続装置５３からの配線が接続される素子ケース４９が設けられている。この素子ケース４９は、上記した駆動モータ３０の回転を制御するＦＥＴ（field-effect transistor）や、このＦＥＴを保護するダイオード等を備え、スイッチ本体４１に対して電気的に接続されている。
【００１８】
スイッチ本体４１は、駆動モータ３０に対しても電気的に接続されており、操作トリガ４４の入力操作に応じて、電気接続装置５３および素子ケース４９を介してバッテリ具５２から駆動モータ３０に電力を供給する。
操作トリガ４４は、スイッチ本体４１に対して操作入力するものであり、スイッチ本体４１と連接されるトリガ本体４４ａと、ハウジング２１から外部に突出させるようにトリガ本体４４ａに連結される操作カバー体４４ｂとを備える。
トリガ本体４４ａは、スイッチ本体４１内部のスイッチング構造（可変式接点構造）に連動するように、スイッチ本体４１の内部から連接されている。操作カバー体４４ｂは、操作者の操作指が掛けられる個所であり、トリガ本体４４ａを被覆するように連結して、スイッチ本体４１からハウジング２１の外周方向に向かって突出するように配設される。具体的には、操作トリガ４４は、トリガ本体４４ａに連結されるように略有底筒状に形成されており、上記した操作トリガ用開口部２１ｃからハウジング２１の外部に突出するように、スイッチ本体４１に設けられる。このため、この操作トリガ４４の操作カバー体４４ｂは、ピストル形状態の設定形態としている場合のグリップ部５０が延びる側（図１および図２に示す下側）の部分に存する操作トリガ用開口部２１ｃから突き抜けて、さらにグリップ部５０が延びる側（図１および図２に示す下側）に向かって突き出すように外部に操作可能に突出している。この操作トリガ４４は、従前の慣行のように、ピストル形状態の設定形態としている場合のグリップ部５０をピストルのグリップを握るかのように手握りした場合に、この握り手にてピストルの引き金を引くように操作可能に構成される。このため、この操作トリガ４４は、広く知られているピストルの引き金に模して形成されている。具体的に言えば、操作トリガ４４は、グリップ部５０が存する側に向けて引き金を引くように引き操作し易いように、外端４４ｃに向かうにしたがって電動工具本体の２０の先端２０ａ側に向かうように僅かに曲がっている。なお、この操作トリガ４４は、上記したように駆動スイッチ４０自体がグリップ用凹部５４に近接配置されているので、この駆動スイッチ４０の一部を構成する操作トリガ４４自身もグリップ用凹部５４に近接配置されることとなる。
この操作トリガ４４は、グリップ部５０が存する側に向けて引き操作することにより、上記したスイッチ本体４１に対して操作入力する。ここで、操作トリガ４４にてなされる操作入力には、スイッチ本体４１に対して、駆動モータ３０をオフ状態とする操作入力、駆動モータ３０をオン状態とする操作入力、駆動モータ３０の回転駆動速度を速めたり遅めたりする操作入力等が含まれる。このため、操作トリガ４４のスイッチ本体４１に対する操作入力は、操作トリガ４４の引き操作の引き幅にしたがった操作入力となるように設定されている。なお、このように操作トリガ４４から操作入力されたスイッチ本体４１は、この操作入力に応じて駆動モータ３０の駆動を制御する。具体的に言えば、スイッチ本体４１は、操作トリガ４４の引き操作の引き幅に連動して、駆動モータ３０に供給する電力量を可変させるように構成されている。また、特に図示していないが、この駆動スイッチ４０には、操作入力に応じて駆動モータ３０の駆動を制御するにあたって、駆動モータ３０により回転させる回転駆動軸３３の回転方向を、順回転方向と逆回転方向との何れかを選択するように切り替える回転方向切替スイッチが設けられたものとなっている。
【００１９】
次に、上記したように設けられる操作トリガ４４に対応して、ハウジング２１に設けられるトリガ保護リブ２６について説明する。
このトリガ保護リブ２６は、ピストルの引き金を保護するように引き金の外周に設けられる広く知られるトリガ保護用のリブを模して形成されるものである。具体的には、このトリガ保護リブ２６は、操作トリガ４４に操作指が掛けられ且つ操作トリガ４４を引き操作できるように形成される。具体的には、トリガ保護リブ２６は、上記したように、操作トリガ４４の外周を覆うようにハウジング２１と一体化状態で設けられる。ここで、トリガ保護リブ２６は、操作トリガ４４の引き操作方向に沿って延びて形成される。
すなわち、トリガ保護リブ２６は、電動工具本体２０のハウジング２１から突出する操作トリガ４４の配設位置より、更にハウジング２１から外方に突出した位置に設けられるものであり、これにより操作トリガ４４の外周を覆うようにしている。また、トリガ保護リブ２６の前端連接個所２６ｃは、駆動モータ３０が内蔵される個所のハウジング２１に対して連接されており、トリガ保護リブ２６の後端連接個所２６ｄは、素子ケース４９が内蔵される個所のハウジング２１に対して連接され、これらの前後端連接個所２６ｃ，２６ｄから操作トリガ４４を覆うようにハウジング２１の下側に突出した状態で、操作トリガ４４の引き操作方向に沿って延びるようになっている。
また、このトリガ保護リブ２６のハウジング２１に設けられる構造としては、図２に示すように、ハウジング２１と同様、半割れ構造にて形成される２つのリブ片２６ａ，２６ｂを合体させることにより形成される。これらリブ片２６ａ，２６ｂのそれぞれは、上記したハウジング片２１ａ，２１ｂのそれぞれに対して一体化状態で形成される。つまり、一方のリブ片２６ａはハウジング片２１ａに対して一体化して形成され、他方のリブ片２６ｂはハウジング片２１ｂに対して一体化して形成され、ハウジング片２１ａ，２１ｂ同士を合体させると同時に、これらリブ片２６ａ，２６ｂ同士も合体してトリガ保護リブ２６をなす。
【００２０】
以上のように構成された電動工具１０によれば、次のような作用効果を奏することができる。
すなわち、上記した電動工具１０によれば、グリップ部５０が延びる側の電動工具本体２０には、グリップ部５０が存する側に向けて引き操作をすることにより駆動モータ３０の駆動を操作する操作トリガ４４が設けられているので、グリップ部５０が存する側に向けて引き操作をするにあたって、操作トリガ４４の配設位置は、グリップ部５０を手握りした場合の握り位置から引き操作に有利に離れる電動工具本体２０に対して設定されることとなる。これによって、グリップ部５０をピストルのグリップと同様に把持して、この把持する握り手にて操作トリガ４４を操作するにあたって、操作トリガ４４の操作はし易くなり、工具としての操作性を向上させる。
また、上記した電動工具１０によれば、電動工具本体２０とグリップ部５０との連結設定形態としては、二つの設定形態を有しているので、使用状態に応じて電動工具１０の設定形態を変更することができる。具体的には、電動工具１０を使用する場合には、互いを交差方向に延びるように配置するピストル形状態の設定形態（図１に示す符号Ｐ１の設定形態）とし、電動工具１０を工具箱に収納する場合には、互いを直列方向に延びるように配置するストレート形状態の設定形態（図１に示す符号Ｐ２の設定形態）として、対応することができる。つまり、収納に有利な設定形態を選択することができるので、不使用時における収納性を高める。
また、上記した電動工具１０によれば、ハウジング２１には操作トリガ４４の外周を覆うトリガ保護リブ２６が設けられているので、例えば電動工具１０を落としてしまって、地面等の外部衝突物が操作トリガ４４周辺に接触衝突してしまうような場合であっても、操作トリガ４４は、トリガ保護リブ２６によって接触衝突から保護される。これによって、外部衝突物の接触衝突による操作トリガ４４の破損を防止することができる。
特に、このトリガ保護リブ２６は、操作トリガ４４の外周を覆うにあたって、操作トリガ４４の引き操作方向に沿って延びるように構成されているので、上記した操作トリガ４４に外部衝突物が当たってしまうような場合の中でも、この操作トリガ４４の引き操作方向への当たりを特に防止することができる。これによって、外部衝突物の接触衝突等によって、操作者が意図していないところで操作トリガ４４が勝手に引き操作がされてしまうことを防止することができる。
また、上記した電動工具１０によれば、ピストル形状態の設定形態（図１に示す符号Ｐ１の設定形態）としている場合のグリップ部５０にあっては、電動工具本体２０に対して出力軸１００の配設位置とは反対側に位置する部位にグリップ用凹部５４が設けられており、グリップ用凹部５４は出力軸１００の回転軸線Ｘ上に存しつつ出力軸１００に向かって凹状をなしているので、グリップ部５０を把持する操作者の握り手をグリップ用凹部に嵌めるように当てるだけで、グリップ用凹部５４から出力軸１００の先端方向に効率良く荷重をかけることができる。これによって、出力軸１００の先端の作業個所への押し当てに有利となる。
【００２１】
なお、本発明に係る電動工具にあっては、上記した実施の形態に限定されるものではなく、本発明の要旨を変更しない範囲で適宜に変更することができる。
例えば、上記した実施の形態における電動工具１０にあっては、電動工具１０の長手方向に対して相対的に折り曲げ可能となるように、電動工具本体２０とグリップ部５０とが相対的に回転するように軸支連結されたものについて説明するものであった。しかしながら、本発明に係る電動工具は、このような例に限定されることなく、例えば、電動工具本体とグリップ部とを固定連結したり、電動工具本体とグリップ部とを一体化したりして、構成されるものであってもよい。
また、本発明に係る電動工具を構成するハウジング、操作トリガ、トリガ保護リブにあっては、上記したような実施の形態におけるハウジング２１、操作トリガ４４、トリガ保護リブ２６の形状に限定されることなく、適宜の形状を選択することができる。
【符号の説明】
【００２２】
１０  電動工具
２０  電動工具本体
２０ａ  電動工具本体の先端
２０ｂ  電動工具本体の基端
２１  ハウジング
２１ａ，２１ｂ  ハウジング片
２１ｃ  操作トリガ用開口部
２４  連結部
２４ａ  膨らみ部
２５  支持軸
２６  トリガ保護リブ
２６ａ，２６ｂ  リブ片
２６ｃ  前端連接個所
２６ｄ  後端連接個所
３０  駆動モータ
３１  駆動モータ本体
３３  回転駆動軸
３７  チャック装置
４０  駆動スイッチ
４１  スイッチ本体
４４  操作トリガ
４４ａ  トリガ本体
４４ｂ  操作カバー体
４４ｃ  操作カバー体の外端
４９  素子ケース
５０  グリップ部
５０ａ  グリップ部の先端
５０ｂ  グリップ部の基端
５１  グリップハウジング
５１ａ，５１ｂ  グリップハウジング片
５１ｃ  バッテリ具収容部
５１ｄ  接続装置収容部
５２  バッテリ具
５２ａ  電池パック
５２ｂ  閉塞蓋部
５３  電気接続装置
５４  グリップ用凹部
５９  凹み部
１００  出力軸
Ｐ１  ピストル形状態の設定形態
Ｐ２  ストレート形状態の設定形態
Ｘ  出力軸（回転駆動軸）の回転軸線
【図１】
0005501734.tif 000002
【図２】
0005501734.tif 000003